(57)【要約】【課題】  内観の意匠を損ねず、大きな荷重にも耐えられるストッパを備えた引違いサッシを提供する。【解決手段】  外障子と、内障子と、引手と、ストッパとを備え、外障子と内障子の両戸先框の室外側面及び室内側面に、上下方向に延びる溝を形成してあり、引手が、外障子の戸先框の室内側面の溝に係合して取り付けてあり、ストッパが、内障子の戸先框の室外側面の溝に係合して取り付けてあり、外障子又は内障子を開放した際に、ストッパが外障子の召合框に当接する。【選択図】      図１
2014062437.tif 000002
【特許請求の範囲】
【請求項１】
外障子と、内障子と、引手と、ストッパとを備え、外障子と内障子の両戸先框の室外側面及び室内側面に、上下方向に延びる溝を形成してあり、引手が、外障子の戸先框の室内側面の溝に係合して取り付けてあり、ストッパが、内障子の戸先框の室外側面の溝に係合して取り付けてあり、外障子又は内障子を開放した際に、ストッパが外障子の召合框に当接するものであることを特徴とする引違いサッシ。
【発明の詳細な説明】
【技術分野】
【０００１】
本発明は、外障子の室内側に引手を備える引違いサッシに関する。
【背景技術】
【０００２】
複数の障子が引違いに摺動する窓や戸において、障子の摺動可能範囲を規制するため、たとえば特許文献１に示すように、擦れ違う障子のうち、一方の障子の見付面にストッパを取り付け、障子の開放時に、ストッパが他方の障子に当接するようにしたものがある。
【先行技術文献】
【特許文献】
【０００３】
【特許文献１】特開２００１−２９５５５７号公報
【発明の概要】
【発明が解決しようとする課題】
【０００４】
しかしながら、特許文献１の発明は、文献中の図５に示すように、障子の桟の見付面に略直方体形状のストッパをビス止めする構造となっており、ストッパが障子に当接した際に生じる荷重はビスが受けることになる。よって、障子を勢い良く動かして大きな荷重が生じた場合には、ストッパが破損するおそれがあった。
【０００５】
本発明は、上記事情を鑑みたものであり、内観の意匠を損ねず、大きな荷重にも耐えられるストッパを備えた引違いサッシを提供することを目的とする。
【課題を解決するための手段】
【０００６】
本発明は、外障子と、内障子と、引手と、ストッパとを備え、外障子と内障子の両戸先框の室外側面及び室内側面に、上下方向に延びる溝を形成してあり、引手が、外障子の戸先框の室内側面の溝に係合して取り付けてあり、ストッパが、内障子の戸先框の室外側面の溝に係合して取り付けてあり、外障子又は内障子を開放した際に、ストッパが外障子の召合框に当接するものであることを特徴とする。
【発明の効果】
【０００７】
本発明によれば、ストッパにより、引手と内障子の召合框が衝突して引手が破損することを防ぐとともに、開放時において、引手分の引き残しを確保して指挟みを防ぐ。そして、ストッパが、障子の摺動方向に直交する溝に係合して取り付けてあるので、ストッパが障子に当接した際に生じる荷重は、ストッパと戸先框の全体で受けることになる。よって、大きな荷重が生じた場合でも、ストッパの破損のおそれがない。また、引手についても、障子の摺動方向に直交する溝に係合して取り付けてあるので、引手に手を掛けて障子を開閉する際に生じる荷重を引手と戸先框の全体で受けて、破損を防ぐことができる。そして、外障子の戸先框と内障子の戸先框は何れも室外側面と室内側面の両面に溝を形成したものであるから、両戸先框は同じ形材を兼用できる。さらに、ストッパが室内側に露出しないので、内観の意匠性が良好である。
【図面の簡単な説明】
【０００８】
【図１】引違いサッシの平面図であり、（ａ）は閉鎖時、（ｂ）は外障子の開放時を示す。
【図２】引違いサッシの室内側正面図であり、外障子の開放時を示す。
【図３】ストッパ部分の拡大図であり、ストッパに外障子の召合框が当接した状態を示す。
【図４】アシスト引手の説明図であり、（ａ）は非動作時、（ｂ）は動作時を示す。
【発明を実施するための形態】
【０００９】
以下、本発明の実施の形態を図面に基づいて説明する。なお、以下において左右とは、図１における左右方向を示すものとする。また、外障子１に関しては左側が戸先側で右側が召合側となり、内障子２に関しては右側が戸先側で左側が召合側となる。この実施形態の引違いサッシは、図１及び図２に示すように、四周枠組みした枠体５に外障子１と内障子２を引違いに納めた窓である。閉鎖時において、外障子１は左側、内障子２は右側に位置する（図１（ａ））。そして、外障子１の戸先框１１の室外側面と室内側面、及び内障子２の戸先框２１の室外側面と室内側面に、それぞれ断面矩形で上下方向に延びる溝１２ａ，１２ｂ，２２ａ，２２ｂを形成してある。なお、外障子１の戸先框１１と内障子２の戸先框２１は、同じ形材を兼用している。また、外障子１の室外側には、網戸６を設けてある。
【００１０】
外障子１及び内障子２は、それぞれの戸先框１１，２１に設けた溝１２ａ，１２ｂ，２２ａ，２２ｂに手を掛けて開閉することができるが、より開閉操作をしやすくするために、外障子１の戸先框１１の室内側面に、引手３を取り付けてある。引手３は、図４に示すように、台座３１と、台座３１から室内側に延びるレバー３２と、台座３１の室外側面に設けた引手突部３３とを備える。引手突部３３は、戸先框１１の室内側面の溝１２ｂにちょうど嵌まる矩形状であり、引手３を戸先框１１に取り付ける際には、引手突部３３を溝１２ｂに嵌め込み、ネジ止めする。ネジは、戸先框１１の中空部内に挿入した裏板（図示省略）に螺合する。なお、この引手３は、障子の開操作をサポートする機能を備えた、いわゆるアシスト引手であり、その構造については、後述する。
【００１１】
そして、内障子２の戸先框２１の室外側面の上下二箇所（図２）には、ストッパ４を取り付けてある。ストッパ４は、樹脂製であって、図３に示すように、基部４１と、基部４１に形成した突部４２、鍔部４３及び当接部４４からなる。基部４１は、直方体の室外側右方の角を切り落とした形状となっており、室内側面の右側端（戸先側端）に突部４２を形成してある。突部４２は戸先框２１の室外側面の溝２２ａにちょうど嵌まる矩形状である。また、基部４１の右側端（戸先側端）からは鍔部４３が突出している。鍔部４３は、室内側面が、基部４１の室内側面と面一になっている。さらに、基部４１の左側端（召合側端）には当接部４４を形成してある。当接部４４は、左側向き（召合側向き）の見込面からなり、この見込面は、ストッパ４の室外側寄りに位置していて、基部４１の室外側面と連続し、室内側面とは離隔している。すなわち、ストッパ４は、室内側部分に比べて室外側部分（当接部４４）がより左側（召合側）に突出した形状となっている。このストッパ４を内障子２の戸先框２１の室外側面に取り付ける際には、基部４１の室内側面を溝２２ａの左側（召合側）の室外側面に当接させ、突部４２を溝２２ａに嵌め込み、さらに鍔部４３の室内側面を溝２２ａの右側（戸先側）の室外側面に当接させて、ネジ止めする。ネジ４５は、戸先框２１の中空部内に挿入した裏板４６に螺合する。
【００１２】
このようにストッパ４を設けると、外障子１又は内障子２を開放した際に、ストッパ４（当接部４４）が外障子１の召合框１３に当接する。たとえば、図１（ｂ）及び図２は、外障子１を開放した場合を示しており、ストッパ４によって、外障子１がそれ以上右側に摺動できないようになっている。そして、ストッパ４が外障子１の召合框１３に当接した状態において、引手３と内障子２の召合框２３の間には隙間がある。すなわち、ストッパ４は、外障子１又は内障子２を開放した際に、引手３が内障子２の召合框２３に接触するよりも先に外障子１の召合框１３に当接するような大きさとなっている。これにより、引手３と内障子２の召合框２３が衝突して引手３が破損することを防ぐとともに、開放時において、引手分の引き残しを確保して指挟みを防いでいる。
【００１３】
そして、ストッパ４は、外障子１及び内障子２の摺動方向（左右方向）に直交する溝２２ａに、突部４２を嵌め込んで取り付けてあって、内障子２の戸先框２１と一体になっているので、ストッパ４が外障子１に当接した際に生じる荷重は、ストッパ４と戸先框２１の全体で受けることになる。よって、大きな荷重が生じた場合でも、ストッパ４の破損のおそれがない。また、引手３についても、外障子１及び内障子２の摺動方向（左右方向）に直交する溝１２ｂに、引手突部３３を嵌め込んで取り付けてあって、外障子１の戸先框１１と一体になっているので、引手３に手を掛けて外障子１を開閉する際に生じる荷重を引手３と戸先框１１の全体で受けて、破損を防ぐことができる。そして、外障子１の戸先框１１と内障子２の戸先框２１は何れも室外側面と室内側面の両面に溝１２ａ，１２ｂ，２２ａ，２２ｂを形成したものであるから、両戸先框１１，２１は同じ形材を兼用できる。さらに、ストッパ４が室内側に露出しないので、内観の意匠性が良好である。
【００１４】
また、図３に示すように、ストッパ４は、内障子２の戸先框２１の溝２２ａに係合する突部４２に対して、外障子１の召合框１３に当接する当接部４４が室外側に位置しているので、当接部４４が召合框１３に当接した際には、係合部（突部４２）を中心としてストッパ４を時計回りに回転させる向きに力が働く。この力に対して、矩形状の突部４２が溝２２ａにちょうど嵌まっていること、及び鍔部４３が溝２２ａの右側（戸先側）の室外側面に当接していることで、回り止めされている。そして、このように回り止めされることで、ストッパ４と戸先框２１が確実に一体となって全体で荷重を受けるので、より少ないネジ４５で十分な取付強度を確保できる。さらに、ストッパ４と外障子１の召合框１３の当接部分を詳しく見ると、図３に示すように、外障子１の召合框１３は、右側端（召合側端）に、内部が中空になった断面略矩形の筒状部１３１を有しており、さらに筒状部１３１の室内側面の右側端（召合側端）には、室内側に向けて延びる水返し片１３２を形成してある。この水返し片１３２は、外障子１と内障子２の間に水が浸入することを防ぐものである。そして、ストッパ４の当接部４４が、内障子２の戸先框２１の室外側面から室外側に離隔した位置にあるので、当接部４４は筒状部１３１の右側面（召合側面）に当接し、水返し片１３２には接触しない。これにより、筒状部１３１から突出した水返し片１３２が変形することを防いでいる。
【００１５】
ここで、引手３の構造について詳述する。この引手３は、いわゆるアシスト引手であり、図４に示すように、台座３１と、台座３１から室内側に延びるレバー３２と、台座３１の室外側面に設けた引手突部３３とを備え、引手突部３３を外障子１の戸先框１１の室内側の溝１２ｂに嵌め込んでネジ止めしてある。台座３１は中空になっており、内部には、アーム３４と、バネ３５と、スライダ３６を設けてある。アーム３４は、室内外方向に延びるもので、室内側端部に第一軸３７を有し、室外側端部に第二軸３８を有している。そしてアーム３４はレバー３２の基端側（室外側）部分に係合してレバー３２と一体になっており、第一軸３７周りに回転自在となっている。また、バネ３５は、コイルバネであって第一軸３７に外挿してあり、レバー３２及びアーム３４を時計回りに付勢している。さらに、スライダ３６は左右方向に摺動自在であって、アーム３４の第二軸３８と係合しており、左側（戸先側）へ移動した際には台座３１から突出する。このように構成した引手３は、通常時（非動作時）には、図４（ａ）に示すように、バネ３５によってレバー３２及びアーム３４が時計回りに付勢され、スライダ３６が台座３１の内部に納まった状態となっている。そして動作時には、図４（ｂ）に示すように、人がレバー３２に手を掛けて右側（外障子１を開放する方向）に動かすことで、レバー３２及びアーム３４が、バネ３５の付勢力に抗して反時計回りに回転する。すると第二軸３８が左側（戸先側）へ動くのに伴って、スライダ３６も左側（戸先側）へ摺動する。そして、スライダ３６は台座３１から突出して枠体５に当接し、枠体５から外障子１を引き離す（外障子１を右側へ動かす）。これにより、外障子１を開放する際に、小さな力で動かし始めることができる。特に、障子自体が大型であったり複層ガラスを有していたりして重量が重い場合や、枠体や障子に設けた気密材が密接している場合などには、動かし始める際に大きな力を要するため、このようなアシスト引手が有効である。
【００１６】
本発明は、上記の実施形態に限定されない。たとえば、この発明のサッシは、引違い窓のほか、引違い戸であってもよい。また、引手は、可動部を有さない固定式のものであってもよい。さらに、引手は外障子の室内側に設けてあるが、それに加えて、内障子の室内側や、外障子及び内障子の室外側に設けてもよい。また、ストッパは、戸先框の溝に係合して取り付けるものであればよく、その形状は、框の形状などに合わせて適宜変更できる。
【符号の説明】
【００１７】
１  外障子
２  内障子
３  引手
４  ストッパ
１１  戸先框（外障子）
１２ａ  溝（外障子の室外側面）
１２ｂ  溝（外障子の室内側面）
１３  召合框（外障子）
２１  戸先框（内障子）
２２ａ  溝（内障子の室外側面）
２２ｂ  溝（内障子の室内側面）
【図１】
2014062437.tif 000003
【図２】
2014062437.tif 000004
【図３】
2014062437.tif 000005
【図４】
2014062437.tif 000006